(57)【要約】      （修正有）【課題】マスクの特に長時間使用における紐による耳の痛みを解消することのできるマスク用係止具を提供すること。【解決手段】マスク用係止具１ａであって、ゴム紐等の弾性部材により使用者の耳に掛けることが可能な紐２４が備えられたマスク２０の紐２４を係止可能な係止部４を本体の両側に少なくとも二つ備えたので、耳への負担はかからないため、耳の痛みが生じないように構成されている。また、係止部４の保持孔８の間隔は約６８ｍとした。材質は軟質ゴム製とした。【選択図】図３
2013252339.tif 000002
【特許請求の範囲】
【請求項１】
ゴム紐等の弾性部材により使用者の耳に掛けることが可能な紐が備えられたマスクの前記紐を係止可能な係止部を本体の両側に少なくとも二つ備えたことを特徴とするマスク用係止具。
【請求項２】
前記係止部が３つ以上設けられたことを特徴とする請求項１に記載のマスク用係止具。
【請求項３】
携帯音楽プレーヤーなどのイヤホンコードを係止可能なイヤホンコード用の係止部が設けられたことを特徴とする請求項１又は請求項２に記載のマスク用係止具。
【請求項４】
前記マスク用係止具の本体が、二つ以上に分解・脱着可能に設けられたことを特徴とする請求項１から請求項３のいずれかに記載のマスク用係止具。
【請求項５】
前記係止部に設けられた前記紐を保持する保持孔のうちの少なくとも二つの間隔が４ｃｍ〜９ｃｍに設けられたことを特徴とする請求項１から請求項４のいずれかに記載のマスク用係止具。
【請求項６】
軟質ゴム製であることを特徴とする請求項１から請求項５のいずれかに記載のマスク用係止具。
【発明の詳細な説明】
【技術分野】
【０００１】
本発明は、マスクを使用（装着）する際にマスクの紐を係止するためのマスク用係止具に関する。
【背景技術】
【０００２】
従来、防塵・防臭・病気感染予防・花粉症対策等の目的で広くマスクが用いられている。そして、この種のマスクのうちの多くが、両側にゴム紐などの弾力性のある紐が取り付けられて、使用者がこの紐を耳にかけて使用している（例えば、特許文献１）。
【先行技術文献】
【特許文献】
【０００３】
【特許文献１】実用新案登録第３１５８２１５号公報
【発明の概要】
【発明が解決しようとする課題】
【０００４】
前述した一般的なマスクでは、ゴム紐などの紐により耳の裏側が常に引っ張られた状態となっているため、長時間の使用により耳の裏側に痛みが生ずることがある。特に、花粉症対策のためにマスクを用いている場合、長時間の使用となることが多く、さらに症状がひどい人は就寝時にも使用することがある。また、このような長時間使用が相当な期間（数か月程度）続くことも多い。このように、特に花粉症患者が増えるにしたがい、長時間した場合のこのようなマスクの紐による耳の痛みが問題となっていた。
【０００５】
本発明の課題は、前述した従来のマスクの問題を解決しようとするものであり、紐による耳の痛みを解消することのできるマスク用係止具を提供することを目的とするものである。
【課題を解決するための手段】
【０００６】
上記課題を解決するために提供される発明は以下の通りである。
【０００７】
本発明の第一の手段のマスク用係止具は、
ゴム紐等の弾性部材により使用者の耳に掛けることが可能な紐が備えられたマスクの前記紐を係止可能な係止部を本体の両側に少なくとも二つ備えたことを特徴とするものである。
【０００８】
このような係止部を備えていることにより、使用者は、紐を耳に掛ける必要が無い。よって、特に長時間の使用などによる耳の痛みを回避することができる。
【０００９】
また、本発明の第二の手段のマスク用係止具は、第一の手段のマスク用係止具において、前記係止部が３つ以上設けられたことを特徴とするものである。
【００１０】
紐を掛けることが可能な係止部を３つ以上設けることにより、大人・子供、男性・女性などの使用者が異なる場合であっても、マスクを口・鼻に適切に圧着させることができるように調整することが容易となる。また、花粉の侵入をできる限り回避したい場合など、マスクの圧着度合いを変更したいような場合の調整も容易となる。
【００１１】
また、本発明の第三の手段のマスク用係止具は、第一の手段又は第二の手段のマスク用係止具において、携帯音楽プレーヤーなどのイヤホンコードを係止可能なイヤホンコード用の係止部が設けられたことを特徴とするものである。
【００１２】
イヤホンコードを係止できるイヤホンコード用の係止部を設けることにより、首回りや顎関節付近へのコードのまとわりつきを防止することができる。なお、このイヤホンコード用の係止部については、第二の手段における３つ以上の係止部のうちのいずれかと兼用することもできる。
【００１３】
また、本発明の第四の手段のマスク用係止具は、第一の手段から第三の手段のいずれかのマスク用係止具において、マスク用係止具の本体が、二つ以上に分解・脱着可能に設けられたことを特徴とするものである。
【００１４】
本体について分解・脱着可能な構造とすることにより、後頭部又は首の後方部位において紐を係止部にかけるなどの煩雑な取り付けを回避することができる。このような構造としてはスナップ嵌合手段などを用いればよい。
【００１５】
また、本発明の第五の手段のマスク用係止具は、第一の手段から第四の手段のいずれかのマスク用係止具において、係止部に設けられた紐を保持する保持孔のうちの少なくとも二つの間隔が４０ｍｍ〜９０ｍｍに設けられたことを特徴とするものである。また、本発明の第六の手段のマスク用係止具は、軟質ゴム製であることを特徴とする第一の手段から第五の手段のいずれかのマスク用係止具である。
【発明の効果】
【００１６】
本発明のマスク用係止具は、上記のように、マスクの紐を掛けることのできる係止部を備えているので、使用者がマスクを装着した際にも紐を耳に掛ける必要が無く、後頭部又は首の後方部位に配置されるマスク用係止具をもってマスクを装着状態に保持することができる。よって、マスクを長時間にわたって使用する場合などにおいても使用者は耳が痛くなることが少ない。
【図面の簡単な説明】
【００１７】
【図１】本発明のマスク用係止具の斜視図である。
【図２】本発明のマスク用係止具の正面図である。
【図３】本発明のマスク用係止具をマスクに取り付ける際のマスクとマスク用係止具の斜視図である。
【図４】本発明のマスク用係止具を用いてマスクを装着した使用状態を示す図である。
【図５】図４の使用状態から、マスクのみを顎にずらした状態の図である。
【図６】本発明の別のマスク用係止具の正面図である。
【発明を実施するための形態】
【００１８】
本発明のマスク用係止具について、図面を参照して詳細に説明する。図１に示されるように、本発明のマスク用係止具１ａは横方向に細長の薄板状に形成され、その左右両端付近に係止部４をそれぞれ設けたものであり、図３に示されるように、これらの係止部４に、マスク２０の紐２４（ゴム紐）に引っかけて使用するものである。
【００１９】
マスク用係止具１ａは、前述した通り、横方向に細長の薄板状に形成されており、その横方向は長さ約８２ｍｍに形成され、縦方向には約１５ｍｍに形成され、また、厚みは約３ｍｍに形成されている。マスク用係止具１ａは弾力性のある軟質ゴム製とされており、後述するように、使用の際に使用者の首等に沿って湾曲が容易となるように構成されている。また、横方向の両端部は丸く形成され、使用者の肌・耳などにこれらの端部がふれた場合でも刺激の少ない形状に構成されている。
【００２０】
マスク用係止具１ａには、中央の本体２と、この中央の本体２の左右両側に延設されて構成される係止部４とが備えられている。本体２は横方向に約５０ｍｍの長さに形成され、この両側に約１６ｍｍの係止部４が備えられる。本体２は横長のやや長めに形成されたほぼ長方形状に形成されている。
【００２１】
係止部４は、下方に向けて切り欠かれて開口可能な開口部６と、この開口部６の奥側に設けられた保持孔８とを備えている。保持孔８は、後述するようにマスク２０の紐２４をその内部に挿通させて保持するものであり、紐２４の外径とほぼ同様の内径とされている。本例では約２ｍｍの内径に設けられているが、取り付けられる紐の大きさを想定して種々の内径に変更することが可能である。また、断面円形の紐を保持することを想定しているが、平紐など他の断面形状の紐を想定して形成してもよい。両保持孔８の間隔は約６８ｍｍに設けられている。なお、紐２４の伸縮性にも左右されるが、この保持孔８の間隔として、約４０ｍｍ〜約９０ｍｍとすると概ね良好な口・鼻への圧着度合と、逆に必要以上に圧迫感を生じないほどの紐２４の張力を得ることができる。
【００２２】
開口部６における本体２と反対側には、本体２とほぼ接する距離まで近づけられた係止突部１０が形成されている。この係止突部１０が設けられることにより、保持孔８に保持された紐２４が開口部６から容易には脱落しないように構成されている。なお、前述のように平紐を保持させることを想定する場合、係止突部１０から紐が脱落しないようにするために、できる限り本体２に圧着するように係止突部１０を構成することが望ましい。また、本例では軟質ゴム製としているが、硬質ゴムなどより硬い材質とする場合には、紐を引っ張ることなどにより係止突部１０の変形量を低減することができるので、本体２との間の隙間を多少大き目に設けることは可能である。但し、通常時において紐２４の外径よりも大きい隙間とすると、紐２４が容易に脱落してしまうので、少なくとも係止突部１０と本体２との間の隙間は、紐２４の外径より小さくすることが求められる。
【００２３】
また、このような開口部６から保持孔８にかけての隙間１２は、保持孔８に近づくにしたがってマスク用係止具１ａの端部方向に行くようにして、マスク用係止具１ａの長手方向に対して斜めに形成されている。よって、保持孔８に保持された紐２４は、使用時には口・鼻の方向に引っ張られるのでマスク用係止具１ａの端部方向にそれぞれ引っ張られることになる。したがって、保持孔８に保持された紐２４は、そのままでは開口部６方向に隙間１２内を移動することはなく、使用時に紐２４が保持孔８から外れるおそれを減少させることができるように構成されている。
【００２４】
ついで、このマスク用係止具１ａの使用方法について説明する。図３に示されるように、本体２２と紐２４から構成されるマスク２０の紐２４を、あらかじめマスク用係止具１ａの係止部４に引っかける。一方の紐２４のみを一方の係止部４に引っかけ、マスク２０の本体２２を口・鼻に合わせた上で、図４に示されるように、首の後ろ付近において他方の紐２４を他方の係止部４に引っかけて装着する。なお、両方の紐２４を両方の係止部４にそれぞれ引っかけた上で、頭部の上部から被るようにしてマスク２０及びマスク用係止具１ａを装着しても良い。また、マスク２０を外す場合には、前述したのとは逆に、いずれかの紐２４を係止部４から外すか、または、紐２４を外さないままの状態で、頭部の上部から脱ぐようにしてマスク２０及びマスク用係止具１ａを取り外せば良い。
【００２５】
また、前述したマスク用係止具１ａ，１ｂの本体２をスナップ嵌合させるような部材を取り付けて二つに取り外し・取り付け自在に構成すると、紐２４の取り付け・取り外し作業を簡略化することができるとともに、マスク２０の装着時にも頭部上方から被るようにして装着する必要が無く、利便性を高めることができる。
【００２６】
図４に示されるように、マスク２０を装着した状態では、使用者の耳よりも下方の顎関節の近傍の部位に紐２４を通すことができる。よって、長時間に渡って紐２４が耳を圧迫することを完全に回避することができる。また、一時的に口・鼻からマスク２０を外したい場合には、図５に示されるように、図４で示された装着状態から、マスク２０の本体２２のみを下方にずらせばよい。
【００２７】
また、従来のマスク２０では使用者が耳に紐２４を掛けるため、マスク２０を使用しながら携帯音楽プレーヤーなどをイヤホンを用いて使用する場合、耳穴に装着されたイヤホン及びイヤホンコードと、マスク２０の紐２４が干渉しやすいが、本マスク用係止具１ａを用いることにより、このような干渉を低減することができる。
【００２８】
なお、図４に示されるように、本例ではマスク用係止具１ａについて、その係止部４の開口部６を下向きにして使用する例を示したが、これに限られず、開口部６を上向きにして使用しても良い。開口部６を下向きにして使用すると、マスク用係止具１ａの自重により保持孔８内に紐２４が留まろうとするので、紐２４が外れ難い。一方、係止突部１０と本体２との間の隙間１２が通常時には十分に狭く紐２４の脱落のおそれが少ない場合には、開口部６を上向きにして取り付けるなどしても良い。特に、多くの場合には、後頭部下方から首後方にかけては口・及び鼻からの距離は、下方にいくにしたがって短くなる。よって、ゴム紐からなる紐２４は使用者によっては下方にずれやすい場合がある。このような場合には、装着時に紐２４が下方にずれやすくなることを回避するために開口部６を上向きにして装着することもできる。
【００２９】
ついで、本発明の別のマスク用係止具１ｂについて説明する。前述の例と同様の構成については、前述の例の図面と同様の符号を図面中に付して説明を省略する。この例では、係止部４が３個以上の多数設けられている。具体的には本例では左右３個ずつの計６個の係止部４が設けられている。このように、前述の例のように２個だけではなく、３個以上の係止部４を設けることにより、マスク２０の二つの紐２４が引っかけられる係止部４の間隔を異ならせるように係止することができる。よって、大人・子供、男性・女性など、使用者の口・鼻から後頭部付近への距離の相違に対応させて一つのマスク用係止具１ｂで使用可能とすることができる。また、使用時の口・鼻へのマスク２０の本体２２の圧着度合いについて、使用者の好みに応じて変更することもできる。花粉の侵入を排除したい場合にはきつめに装着することができるなど、本体２２の圧着度合いの調整に有効である。
【００３０】
また、本例においては、紐２４を係止した係止部４以外の係止部４に、前述した携帯音楽プレーヤーのイヤホンコード（図示省略）などを係止しておくこともできる。イヤホンコードを後頭部付近にまとめておくことができるので、首筋や顎関節付近にイヤホンコードがまとわりつく不快感等を解消させることができ、好適である。本例では係止部４をイヤホンコード用の係止部として兼用しているが、係止部４とは独立したイヤホンコード用の係止部を設けても良い。
【００３１】
本発明は上記した実施の形態に限られるものではなく、本発明の主旨の範囲内で種々の変更が可能である。例えば、上記した実施の形態では軟質ゴム製としたが、他の材質例えば合成樹脂製、紙製などとしても良い。しかしながら、一定の強度を有しながら、使用者の装着時の使用感などを考慮すると軟質ゴム製が好適である。また、本体形状は他の形状とすることを妨げない。全体の大きさなども適宜変更することは可能である。また、材質の色については、種々選択が可能であり、ファッション性を重視する場合には、カラフルな色を選択して用いればよい。
【産業上の利用可能性】
【００３２】
本発明のマスク用係止具は、紐を用いたマスクに広く用いることができる。
【符号の説明】
【００３３】
１ａ，１ｂ；マスク用係止具、２；本体、４；係止部、６；開口部、８；保持孔、１０；係止突部、１２；隙間、２０；マスク、２２；本体、２４；紐。
【図１】
2013252339.tif 000003
【図２】
2013252339.tif 000004
【図３】
2013252339.tif 000005
【図４】
2013252339.tif 000006
【図５】
2013252339.tif 000007
【図６】
2013252339.tif 000008